(57)【要約】【課題】  水素を効率的に、かつ長時間にわたって発生させる水素発生組成物及び水素発生飲料を提供すること。【解決手段】  有機酸または脂肪酸からなる酸化剤と、水素化ホウ素ナトリウム（ＮａＢＨ4）又は水素化マグネシウム（ＭｇＨ2）、水素化カルシウム（ＣａＨ2）などの水素化物からなる還元剤とを混合して成ることを特徴とする、水素発生組成物を提供する。【選択図】  図１
2017165636.tif 000002
【特許請求の範囲】
【請求項１】
水素化ホウ素ナトリウム（ＮａＢＨ4）又は水素化マグネシウム（ＭｇＨ2）、水素化カルシウム（ＣａＨ2）、水素化ホウ素アルミニウムＡｌ（ＢＨ4）3、水素化アルミニウムリチウム（ＬｉＡｌＨ4）などの水素化物からなる還元剤に対し、酸化剤としての有機酸または脂肪酸、炭酸塩および有機化合物のうちの少なくとも１つを混合して構成され、水と接触することで前記還元剤を構成する水素よりも多量の水素を発生することを特徴とする水素発生組成物。
【請求項２】
請求項１に記載の水素発生組成物において、前記酸化剤は、官能基として、Ｒ-ＣＯＯＨ、Ｒ-ＳＯ3Ｈ、Ｒ-ＯＨ、Ｒ-ＳＨで表されるものを有する（但し、Ｒは炭化水素基）ことを特徴とする水素発生組成物。
【請求項３】
請求項２に記載の水素発生組成物において、前記酸化剤は、ココナッツオイル、マカダミアナッツオイル、亜麻仁油、エゴマ油、米ぬか油、オリーブオイル、ヘンプオイル、ヘンプシードオイル、ＭＣＴ、ひまわり油、ごま油、ベニバナ油、アーモンドオイル、アルガンオイルまたはホホバオイルの何れかであることを特徴とする水素発生組成物。
【請求項４】
請求項１に記載の水素発生組成物において、前記有機化合物は、官能基として、Ｒ-ＣＯＯＭ、Ｒ-ＳＯ3Ｍ、Ｒ-ＯＭ、Ｒ-ＳＭで表されるものを有する（但し、Ｒは炭化水素基、ＭはＨ以外のＮａ、Ｋ等の金属または金属塩）ことを特徴とする水素発生組成物。
【請求項５】
請求項４に記載の水素発生組成物において、前記有機化合物は、アスコルビン酸塩またはクエン酸塩であることを特徴とする水素発生組成物。
【請求項６】
水素化ホウ素ナトリウム（ＮａＢＨ4）又は水素化マグネシウム（ＭｇＨ2）、水素化カルシウム（ＣａＨ2）、水素化ホウ素アルミニウムＡｌ（ＢＨ4）3、水素化アルミニウムリチウム（ＬｉＡｌＨ4）などの水素化物からなる還元剤に対し、有機酸及び脂肪酸のうちの少なくとも１つと、炭酸塩および有機化合物のうちの少なくとも１つを混合し、この混合物を溶解した液体飲料であって、溶液内の反応によって前記還元剤を構成する水素よりも多量の水素を発生することを特徴とする水素発生飲料。
【発明の詳細な説明】
【技術分野】
【０００１】
本発明は、抗酸化作用を有する水素（Ｈ+、Ｈ2（２Ｈ+＋２ｅ-）、Ｈ-）を発生する組成物及び飲料に関する。
【背景技術】
【０００２】
水素の摂取が健康に資することが知られている。特許文献１には、炭酸カルシウムを焼成して得られる粉末を製錠、カプセル化する食用水素イオンが開示されている。
【０００３】
ここで、水素イオンは、還元剤（特許文献１においては炭酸カルシウムを焼成して得られる粉末）と酸化剤（特許文献１においては胃酸と考えられる）の反応によって発生する。してみれば、水素イオンを効率的に、かつ長時間にわたって発生させるには、特許文献１に開示されるように還元剤のみを摂取するのではなく、水素イオンの発生をコントロールする酸化剤を合わせて摂取することが好ましい。しかし、還元剤と酸化剤を合わせた水素イオン発生組成物は開示されていなかった。
【０００４】
還元剤と酸化剤を合わせるのであれば、経口摂取せずとも水素イオンの効果を得ることができる。すなわち、特許文献１においては水素原子を含有しない還元剤のみであるので水素イオンを発生させるためには酸化剤を別途供給しなければならない。これに対し、酸化剤を合わせていれば、別途供給することなく水素イオンを発生させることができる。
【０００５】
経口摂取以外の効果ある水素発生組成物の形態としては、点滴用薬剤、入浴剤、含水化粧品（化粧水、乳液、美容液、クリーム、フェイスパック、洗顔石鹸、その他の水分及び油分を含む化粧品を言う。）が考えられる。点滴用薬剤であれば、血液中の抗酸化力を経口摂取よりも直接的に向上させることができる。入浴剤であれば、水素イオンが水素ガスとして吸引摂取されて効果を発する。また、浴用水における保湿、保温、抗炎症効果も期待される。化粧品であれば、使用時に皮膚に接触しての保湿、保温、抗炎症効果が期待される。
【０００６】
特許文献２には、水素化ホウ素ナトリウムから水素を発生させる方法が開示されている。してみれば、水素化ホウ素ナトリウム又は他の水素化物（例えば水素化マグネシウム）を還元剤として用いることで水素発生組成物を製造できると考えられる。
【０００７】
また特許文献３には、炭酸水素ナトリウム（第１のアルカリ剤）、クエン酸カリウム（第２のアルカリ剤）及び水素化ホウ素ナトリウムとを混合した粉末を、ｐＨ８．７２〜９.５のアルカリ性水溶液中に添加することで、水素化ホウ素ナトリウムの反応によって水素を発生させることが提案されている。
【先行技術文献】
【特許文献】
【０００８】
【特許文献１】特開２００５−２４５２６５号公報
【特許文献２】特開２０１３−０２８５３４号公報
【特許文献３】特許第５７３４４５７号公報
【発明の概要】
【発明が解決しようとする課題】
【０００９】
本発明は、水素を効率的に、かつ長時間にわたって発生させる水素発生組成物及び水素発生飲料を提供することを課題とする。なお、本明細書において「水素」は水素ガスのみでなく、水素イオン（Ｈ+）、Ｈ2（２Ｈ+＋２ｅ-）、ヒドリドイオン（Ｈ-）も含まれる。
【課題を解決するための手段】
【００１０】
本発明の水素発生組成物は、水素化ホウ素ナトリウム（ＮａＢＨ4）又は水素化マグネシウム（ＭｇＨ2）、水素化カルシウム（ＣａＨ2）、水素化ホウ素アルミニウムＡｌ（ＢＨ4）3、水素化アルミニウムリチウム（ＬｉＡｌＨ4）などの水素化物からなる還元剤に対し、酸化剤としての有機酸または脂肪酸、炭酸塩および有機化合物のうちの少なくとも１つを混合して構成され、水と接触することで前記還元剤を構成する水素よりも多量の水素を発生する。
【００１１】
還元剤を構成する水素よりも多量の水素を発生することは、測定結果からも明らかであり且つ反応後は還元剤はそのままの形で残っていないことからも首肯される。
【００１２】
前記酸化剤としては、官能基として、Ｒ-ＣＯＯＨ、Ｒ-ＳＯ3Ｈ、Ｒ-ＯＨ、Ｒ-ＳＨで表されるものを有するものが考えられる。（但し、Ｒは炭化水素基）        
【００１３】
前記酸化剤としての脂肪酸の具体例としては、ココナッツオイル、マカダミアナッツオイル、亜麻仁油、エゴマ油、米ぬか油、オリーブオイル、ヘンプオイル、ヘンプシードオイル、ＭＣＴ、ひまわり油、ごま油、ベニバナ油、アーモンドオイル、アルガンオイルまたはホホバオイルが挙げられる。
【００１４】
また前記酸化剤としての有機酸の具体例としては、ラウリン酸（２ＣＨ3（ＣＨ2）4ＣＯＯＨ）、ミリスチン酸（２ＣＨ3（ＣＨ2）12ＣＯＯＨ）、パルミチン酸（２ＣＨ3（ＣＨ2）14ＣＯＯＨ）、ステアリン酸（２ＣＨ3（ＣＨ2）16ＣＯＯＨ）、αリノレン酸（２ＣＨ3ＣＨ2（ＣＨ＝ＣＨＣＨ2）3（ＣＨ2）6ＣＯＯＨ）、Υリノレン酸、Γリノレン酸、オレイン酸（２ＣＨ3（ＣＨ2）7ＣＨ＝ＣＨ（ＣＨ2）7ＣＯＯＨ）、ＥＰＡ、ＤＨＡ、アラキドン酸ＣＨ3（ＣＨ2）4（ＣＨ＝ＣＨＣＨ2）4（ＣＨ2）2ＣＯＯＨ、Υオリザノール、トコフェロール、トコトリエノール、ライスステロール、フェルラ酸Ｃ10Ｈ10Ｏ4、ライススクワラン、Υアミノ酸、ライスセラミド、ＰＯＡパルミトオレイン酸、ヒアルロン酸が挙げられる。
【００１５】
また前記有機化合物は、官能基として、Ｒ-ＣＯＯＭ、Ｒ-ＳＯ3Ｍ、Ｒ-ＯＭ、Ｒ-ＳＭで表されるものを有するものが考えられる。（但し、Ｒは炭化水素基、ＭはＨ以外のＮａ、Ｋ等の金属または金属塩）
【００１６】
前記有機化合物の具体例としては、アスコルビン酸塩またはクエン酸塩が挙げられる。
【００１７】
上記構成により、体内に摂取すること、あるいは水溶させること（溶媒は必ずしも水でなくともよい）によって、水素が発生する。
【発明の効果】
【００１８】
本願発明の最も特徴となる点は、還元剤の添加量と水素の発生量にある。前記したように本願発明は特定の酸化剤と還元剤とを混合したものであるが、発生する水素量は還元剤を構成する水素の数倍〜数十倍の水素を発生する。
【００１９】
本発明の水素イオン発生組成物は、前記脂肪酸は食品添加可能であり、補助食品として用いられることを特徴とする。
【００２０】
この特徴によれば、酸化剤、還元剤共に摂取（食用）可能であり、サプリメント等として利用することができる。
【００２１】
本発明の水素発生組成物は、点滴用製剤、入浴剤又は含水化粧品として用いられることを特徴とする。点滴製剤として使用する場合には、本発明に係る混合粉末を溶かした溶液に点滴製剤を漬けて使用する。発生した水素分子(原子）はその直径が最も小さいため点滴製剤の袋を通りぬけて水中に溶け込む。
【００２２】
この特徴によれば、経口摂取のほかに、点滴用薬剤、入浴剤又は含水化粧品としても活用することができる。
【００２３】
本発明の水素発生飲料は、水素化ホウ素ナトリウム（ＮａＢＨ4）又は水素化マグネシウム（ＭｇＨ2）、水素化カルシウム（ＣａＨ2）、水素化ホウ素アルミニウムＡｌ（ＢＨ4）3、水素化アルミニウムリチウム（ＬｉＡｌＨ4）などの水素化物からなる還元剤に対し、酸化剤としての有機酸または脂肪酸、炭酸塩および有機化合物のうちの少なくとも１つを混合し、これを溶解したものである。
【００２４】
この特徴によれば、酸化剤を飲料とし、これに還元剤を飲用直前に混合することで、飲用時及び飲用後に水素を発生する水素発生飲料が提供される。
【００２５】
本発明の水素発生飲料は、前記液体飲料のｐＨと酸化還元電位が関係することを特徴とする。例えばｐＨ５以上、酸化還元電位３００ｍＶ以下で、水素の発生は６０時間以上継続する。
【００２６】
この特徴によれば、液体飲料（酸化剤）が中性に近く、還元剤を急速に消費してしまうことがない。長時間にわたって水素を発生させることが可能となる。
【００２７】
更に、本発明の水素発生組成物を溶解した水溶液は、農産物などの植物の育成に有効である。即ち本発明の水溶液を使用することで、虫などが付きにくくなり農薬を使用しないか使用量を抑えることができ、また果実の糖度が高くなり、花の場合には色が鮮やかになるとともに寿命も延びる。
【００２８】
本発明によれば、水素を効率的に，かつ長時間にわたって発生させる水素発生組成物及び水素発生飲料を提供することが可能になる。
【図面の簡単な説明】
【００２９】
【図１】水素発生組成物の概念を示す図である。
【図２】水素発生飲料の概念を示す図である。
【図３】水素発生飲料の水素イオン濃度の測定結果を示すグラフである。
【図４】水素発生飲料の水素イオン濃度の測定結果を示すグラフである。
【図５】水素発生飲料の水素イオン濃度の測定結果を示すグラフである。
【図６】水素発生飲料の水素イオン濃度の測定結果を示すグラフである。
【図７】水素発生飲料の水素イオン濃度の測定結果を示すグラフである。
【発明を実施するための形態】
【００３０】
以下、水素発生組成物を示す実施例１、水素発生飲料を示す実施例２について説明する。
【実施例１】
【００３１】
図１は、水素発生組成物の概念を示す図である。水素発生組成物は、粉体状の酸化剤１と還元剤３との混合物である。
【００３２】
酸化剤１は、脂肪酸、例えばリノール酸、の粉体である。水素発生組成物を人間が摂取するため、食品添加可能であることが好ましい。
【００３３】
還元剤３は、水素化ホウ素ナトリウム（ＮａＢＨ4）である。ただし、水素化マグネシウム（ＭｇＨ2）であってもよい。また他の水素化物（水素化カルシウム等）であってもよい。
【００３４】
水素発生組成物を水溶すると、または人間の体内に摂取すると、酸化剤１が水溶した酸性液が醸成され、酸性液と還元剤３とが反応して水素が発生する。
【００３５】
水溶又は体内摂取の前には、粉体である酸化剤１と還元剤３とは反応せず、水素発生能力は保たれる。
【００３６】
水素イオンの発生量及び発生時間は、酸化剤１と還元剤３との混合比率、水溶液中での酸化剤１と還元剤３の濃度（水溶液のｐＨ）に依存して変化する。これらを調整して所望の発生量及び発生時間とすればよい。
【００３７】
出願人は、水素イオンを、抗酸化力を高める濃度で、２４時間以上にわたって発生させることに成功した。その水素発生組成物を摂取することで、血液中の抗酸化力を、摂取前を１００として、摂取後３０分で１１５、摂取後４時間で１４５とすることができた。
【００３８】
以上に説明したように、本実施例の水素発生組成物は、人間の体内に摂取することにより、長時間にわたって抗酸化力を保つことができるものである。
【００３９】
なお、本実施例の水素発生組成物は、経口摂取するほかに、点滴用薬剤、入浴剤又は含水化粧品として活用することができる。
【実施例２】
【００４０】
図２は、水素発生飲料の概念を示す図である。水素発生飲料は、ボトル４の本体に液体飲料２を入れ、キャップ５に還元剤３を保持したものである。
【００４１】
液体飲料２は、実施例１と同様の酸化剤１を水溶したものである。酸化剤１の濃度によってｐＨを調整することができる。本実施例ではｐＨ＝５.５とした。水素発生時間を長くするため、ｐＨは中性に近くすること、具体的には５以上とすることが好ましい。
【００４２】
還元剤３は、実施例１と同様である。
【００４３】
液体飲料２と還元剤３とは分離されており、反応せず、水素発生能力が保たれる。
【００４４】
飲用の前に還元剤３を液体飲料２に投入することで、水素イオンの発生が開始する。飲用後、人間の体内において水素イオンの発生が継続する。
【００４５】
還元剤３を液体飲料２に投入する機構は、任意のものでよい。本実施例においては、キャップ５に還元剤３を保持し、飲用前にキャップ５にストローを貫通させることで還元剤３が液体飲料２に落下するものとする。但し、他の方法、例えばボトル４とは別の容器に還元剤を保持して飲用前に投入する方法によってもよい。投入前に液体飲料２と還元剤３とが分離され、投入後に水素の発生が開始するものであればいかなる方法であってもよい。
【００４６】
酸化剤１として各種脂肪酸を、還元剤３として水素化ホウ素ナトリウム（ＮａＢＨ4）を用いた例を以下に示す。
ラウリン酸（ＣＨ3（ＣＨ2）4ＣＯＯＨ）が溶解した液体飲料２は弱酸性を呈する。この液体飲料２に水素化ホウ素ナトリウム（ＮａＢＨ4）を加えると、以下の（式１）によってラウリン酸ナトリウムＣＨ3（ＣＨ2）4ＣＯＯＮａと水酸化ホウ素（Ｂ（ＯＨ）3）と水素が生成される。
【００４７】
（式１）
２ＣＨ3（ＣＨ2）4ＣＯＯＨ＋２ＮａＢＨ4＋６Ｈ2Ｏ
→２ＣＨ3（ＣＨ2）4ＣＯＯＮａ＋Ｂ（ＯＨ）3＋７Ｈ2
【００４８】
図３は本発明に係る水素発生飲料の溶存水素量を測定（ＮＡＤ試験）したグラフであり、この試験で用いた水素発生飲料はラウリン酸：水素化ホウ素ナトリウム＝6.56：1.00の割合で混合した粉末を用いた。水溶液の溶存水素量は524.3ｐｐｍであった。測定条件などは以下に示す。
【００４９】
水素イオン濃度の測定条件
ＮＡＤ+（１ｍｍｏｌ）：１５ｍｌ
撹拌時間：１時間
試料投入量：0.0095ｇ
測定結果
ＮＡＤＨ（１ｍｍｏｌ）のバンド面積：208.46
試料投入後のバンド面積：131.67
濃度計算
（1）ＮＡＤＨの試薬が１００％の時
ＮＡＤＨ（１ｍｍｏｌ）：ＮＡＤＨ（１ｍｍｏｌ）のバンド面積
＝反応後の濃度Ｘ：反応後のバンド面積
１ｍｍｏｌ：208.46＝Ｘ：138.67
Ｘ＝0.66521155
（2）ＮＡＤＨの試薬が８８％の時
ＮＡＤＨ（0.88ｍｍｏｌ）：ＮＡＤＨ（0.88ｍｍｏｌ）のバンド面積
＝反応後の濃度Ｘ：反応後のバンド面積
0.88ｍｍｏｌ：208.46＝Ｘ：138.67
Ｘ＝0.58538616
（1）と（2）の平均値＝0.62529886
水素の反応個数
ＮＡＤＨ（１ｍｍｏｌ）＝6.022×１０20個
試料の0.62529886ｍｍｏｌの水素の反応個数＝Ｙ
1：6.022×１０20個＝0.62529886：Ｙ
Ｙ＝3.76554973×１０20個
試料１ｇ当たりの反応個数
3.76554973×１０20個／0.0095ｇ＝3.96373655×１０22個／ｇ
試料１ｇ当たりの水素発生量
水素６．０２２×１０23個＝２ｇ
試料１ｇ当たりの反応個数は3.96373655×１０22個なので、
試料１ｇ当たりの水素発生量＝0.1316ｇ
試料４００ｍｇを水１００ｍｌに溶かした時の水素量
試料１ｇ当たりの水素発生量は0.1316ｇなので、試料４００ｍｇの時の水素量0.1316ｇ×0.4＝0.05264ｇ
溶存水素量は、0.05264／（100＋0.4）×100＝0.05243028％＝524.3ppm
【００５０】
上記のように、大量の水素イオンが発生しているのは、（式１）において、水素イオンは水素化ホウ素ナトリウム（ＮａＢＨ4）のみからではなく、ラウリン酸（ＣＨ3（ＣＨ2）4ＣＯＯＨ）からも生じているからである。
【００５１】
(表１）は水素化ホウ素ナトリウムの量を変え且つ脂肪酸の添加の有無によって発生する水素量を比較したものであり、この表からも明らかなように、元々水素化ホウ素ナトリウムは水と接触することで水素を発生することは知られているが、脂肪酸を加えることで、水素発生量が大幅に増加することが分かる。
【００５２】
【表１】
2017165636.tif 000003
【００５３】
図４は上記測定条件のうち、脂肪酸と水素化ホウ素ナトリウムを混合した試料の投入量を０．０１２８ｇとし、他の条件は前記と同様にして溶存水素量を測定した結果を示す図であり、図５は上記測定条件のうち、脂肪酸と水素化ホウ素ナトリウムの他に有機酸（アスコルビン酸）を混合した試料の投入量を０．０１３２ｇとし、他の条件は前記と同様にして溶存水素量を測定した結果を示す図である。
【００５４】
ここで、本発明の有機酸は官能基として、Ｒ-ＣＯＯＨ、Ｒ-ＳＯ3Ｈ、Ｒ-ＯＨ、Ｒ-ＳＨで表されるものを有する。（但し、Ｒは炭化水素基）
【００５５】
これら図４及び図５から、試料の投入量が少ない程、試料１ｇ当たりの水素量が多くなり、また脂肪酸の他に有機酸を混合することで更に水素の発生量が増えることが判明した。
【００５６】
図６は上記測定条件のうち、脂肪酸と水素化ホウ素ナトリウムを混合した試料の投入量を０．０１３２ｇとし、他の条件は前記と同様にして溶存水素量を測定した結果を示す図であり、図７は上記測定条件のうち、脂肪酸と水素化ホウ素ナトリウムの他に有機酸（アスコルビン酸）を混合した試料の投入量を０．０１１１ｇとし、他の条件は前記と同様にして溶存水素量を測定した結果を示す図である。
【００５７】
これら図６及び図７からも、試料の投入量が少ない程、試料１ｇ当たりの水素量が多くなり、また脂肪酸の他に有機酸を混合することで更に水素の発生量が増えることが判明した。
【００５８】
次に酸化剤１としてミリスチン酸（２ＣＨ3（ＣＨ2）12ＣＯＯＨ）を、還元剤３として水素化ホウ素ナトリウム（ＮａＢＨ4）を用いた例を以下に示す。
ミリスチン酸（２ＣＨ3（ＣＨ2）12ＣＯＯＨ）が溶解した液体飲料２は弱酸性を呈する。この液体飲料２に水素化ホウ素ナトリウム（ＮａＢＨ4）を加えると、以下の（式２）によってミリスチン酸ナトリウム［２ＣＨ3（ＣＨ2）12ＣＯＯＨＮａ］と水酸化ホウ素（Ｂ（ＯＨ）3）と水素（Ｈ2）が生成される。
尚、ミリスチン酸と水素化ホウ素ナトリウムの混合割合は6.56：1.00とした。
【００５９】
（式２）
２ＣＨ3（ＣＨ2）12ＣＯＯＨ＋２ＮａＢＨ4＋６Ｈ2Ｏ
→２ＣＨ3（ＣＨ2）12ＣＯＯＮａ＋Ｂ（ＯＨ）3＋７Ｈ2
【００６０】
上記の水素発生飲料の溶存水素量を測定（ＮＡＤ試験）した。結果はラウリン酸の時と同様に、大量の水素が長時間継続して発生した。
【００６１】
次に酸化剤１としてパルミチン酸（２ＣＨ3（ＣＨ2）14ＣＯＯＨ）を、還元剤３として水素化ホウ素ナトリウム（ＮａＢＨ4）を用いた例を以下に示す。
パルミチン酸（２ＣＨ3（ＣＨ2）14ＣＯＯＨ）が溶解した液体飲料２は弱酸性を呈する。この液体飲料２に水素化ホウ素ナトリウム（ＮａＢＨ4）を加えると、以下の（式３）によってパルミチン酸ナトリウム［２ＣＨ3（ＣＨ2）14ＣＯＯＨＮａ］と水酸化ホウ素（Ｂ（ＯＨ）3）と水素（Ｈ2）が生成される。
尚、パルミチン酸と水素化ホウ素ナトリウムの混合割合は6.56：1.00とした。
【００６２】
（式３）
２ＣＨ3（ＣＨ2）14ＣＯＯＨ＋２ＮａＢＨ4＋６Ｈ2Ｏ
→２ＣＨ3（ＣＨ2）12ＣＯＯＮａ＋Ｂ（ＯＨ）3＋７Ｈ2
【００６３】
上記の水素発生飲料の溶存水素量を測定（ＮＡＤ試験）した。結果はラウリン酸の時と同様に、大量の水素が長時間継続して発生した。
【００６４】
次に酸化剤１としてステアリン酸（２ＣＨ3（ＣＨ2）16ＣＯＯＨ）を、還元剤３として水素化ホウ素ナトリウム（ＮａＢＨ4）を用いた例を以下に示す。
ステアリン酸（２ＣＨ3（ＣＨ2）16ＣＯＯＨ）が溶解した液体飲料２は弱酸性を呈する。この液体飲料２に水素化ホウ素ナトリウム（ＮａＢＨ4）を加えると、以下の（式４）によってステアリン酸ナトリウム［２ＣＨ3（ＣＨ2）16ＣＯＯＨＮａ］と水酸化ホウ素（Ｂ（ＯＨ）3）と水素（Ｈ2）が生成される。
尚、ステアリン酸と水素化ホウ素ナトリウムの混合割合は6.56：1.00とした。
【００６５】
（式４）
２ＣＨ3（ＣＨ2）16ＣＯＯＨ＋２ＮａＢＨ4＋６Ｈ2Ｏ
→２ＣＨ3（ＣＨ2）16ＣＯＯＮａ＋Ｂ（ＯＨ）3＋７Ｈ2
【００６６】
上記の水素発生飲料の溶存水素量を測定（ＮＡＤ試験）した。結果はラウリン酸の時と同様に、大量の水素が長時間継続して発生した。
【００６７】
次に酸化剤１としてリノレン酸（２ＣＨ3ＣＨ2（ＣＨ＝ＣＨＣＨ2）3（ＣＨ2）6ＣＯＯＨ）を、還元剤３として水素化ホウ素ナトリウム（ＮａＢＨ4）を用いた例を以下に示す。
リノレン酸（２ＣＨ3ＣＨ2（ＣＨ＝ＣＨＣＨ2）3（ＣＨ2）6ＣＯＯＨ）が溶解した液体飲料２は弱酸性を呈する。この液体飲料２に水素化ホウ素ナトリウム（ＮａＢＨ4）を加えると、以下の（式５）によってリノレン酸ナトリウム（２ＣＨ3ＣＨ2（ＣＨ＝ＣＨＣＨ2）3（ＣＨ2）6ＣＯＯＮａ）と水酸化ホウ素（Ｂ（ＯＨ）3）と水素（Ｈ2）が生成される。
尚、リノレン酸と水素化ホウ素ナトリウムの混合割合は6.56：1.00とした。
【００６８】
（式５）
２ＣＨ3ＣＨ2（ＣＨ＝ＣＨＣＨ2）3（ＣＨ2）6ＣＯＯＨ＋２ＮａＢＨ4＋６Ｈ2Ｏ
→２ＣＨ3ＣＨ2（ＣＨ＝ＣＨＣＨ2）3（ＣＨ2）6ＣＯＯＮａ＋Ｂ（ＯＨ）3＋７Ｈ2
【００６９】
上記の水素発生飲料の溶存水素量を測定（ＮＡＤ試験）した。結果はラウリン酸の時と同様に、大量の水素が長時間継続して発生した。
【００７０】
次に酸化剤１としてリノール酸（２ＣＨ3（ＣＨ2）4（ＣＨ＝ＣＨＣＨ2）3（ＣＨ2）6ＣＯＯＨ）を、還元剤３として水素化ホウ素ナトリウム（ＮａＢＨ4）を用いた例を以下に示す。
リノール酸（２ＣＨ3（ＣＨ2）4（ＣＨ＝ＣＨＣＨ2）3（ＣＨ2）6ＣＯＯＨ）が溶解した液体飲料２は弱酸性を呈する。この液体飲料２に水素化ホウ素ナトリウム（ＮａＢＨ4）を加えると、以下の（式６）によってリノール酸ナトリウム（２ＣＨ3（ＣＨ2）4（ＣＨ＝ＣＨＣＨ2）3（ＣＨ2）6ＣＯＯＮａ）と水酸化ホウ素（Ｂ（ＯＨ）3）と水素（Ｈ2）が生成される。
尚、リノール酸と水素化ホウ素ナトリウムの混合割合は6.56：1.00とした。
【００７１】
（式６）
２ＣＨ3（ＣＨ2）4（ＣＨ＝ＣＨＣＨ2）3（ＣＨ2）6ＣＯＯＨ＋２ＮａＢＨ4＋６Ｈ2Ｏ
→２ＣＨ3（ＣＨ2）4（ＣＨ＝ＣＨＣＨ2）3（ＣＨ2）6ＣＯＯＮａ＋Ｂ（ＯＨ）3＋７Ｈ2
【００７２】
上記の水素発生飲料の溶存水素量を測定（ＮＡＤ試験）した。結果はラウリン酸の時と同様に、大量の水素が長時間継続して発生した。
【００７３】
次に酸化剤１としてオレイン酸（２ＣＨ3（ＣＨ2）7ＣＨ＝ＣＨ（ＣＨ2）7ＣＯＯＨを、還元剤３として水素化ホウ素ナトリウム（ＮａＢＨ4）を用いた例を以下に示す。
オレイン酸（２ＣＨ3（ＣＨ2）7ＣＨ＝ＣＨ（ＣＨ2）7ＣＯＯＨが溶解した液体飲料２は弱酸性を呈する。この液体飲料２に水素化ホウ素ナトリウム（ＮａＢＨ4）を加えると、以下の（式７）によってオレイン酸ナトリウム[２ＣＨ3（ＣＨ2）7ＣＨ＝ＣＨ（ＣＨ2）7ＣＯＯＮａ]と水酸化ホウ素（Ｂ（ＯＨ）3）と水素（Ｈ2）が生成される。
尚、オレイン酸と水素化ホウ素ナトリウムの混合割合は6.56：1.00とした。
【００７４】
（式７）
２ＣＨ3（ＣＨ2）7ＣＨ＝ＣＨ（ＣＨ2）7ＣＯＯＨ＋２ＮａＢＨ4＋６Ｈ2Ｏ
→２ＣＨ3（ＣＨ2）7ＣＨ＝ＣＨ（ＣＨ2）7ＣＯＯＮａ＋Ｂ（ＯＨ）3＋７Ｈ2
【００７５】
上記の水素発生飲料の溶存水素量を測定（ＮＡＤ試験）した。結果はラウリン酸の時と同様に、大量の水素が長時間継続して発生した。
【００７６】
上記の水素化ホウ素ナトリウム（ＮａＢＨ4）に代えて、水素化マグネシウム（ＭｇＨ2）及び水素化カルシウム（ＣａＨ2）を用いて、上記と同様の試験を行った。結果は、水素化ホウ素ナトリウム（ＮａＢＨ4）の場合と同様に、大量の水素が発生し、長時間持続した。
【００７７】
次に、水素化ホウ素ナトリウム（ＮａＢＨ4）に脂肪酸のみでなく有機酸を添加した場合について述べる。脂肪酸としてはリノレン酸及びラウリン酸を用い、有機酸としてはアスコルビン酸を用いた。
【００７８】
水素化ホウ素ナトリウム（ＮａＢＨ4）０．００１２ｇにリノレン酸を添加し、アスコルビン酸は添加しない場合の溶存水素量を測定（ＮＡＤ試験）した結果、１．６７８×１０23/ｇ（２２２０ｐｐｍ）であった。
【００７９】
水素化ホウ素ナトリウム（ＮａＢＨ4）０．００１３ｇにリノレン酸とアスコルビン酸を添加した場合の溶存水素量を測定（ＮＡＤ試験）した結果、２．２２８×１０23/ｇ（２９５０ｐｐｍ）であった。アスコルビン酸を添加することで、水素の発生量が約１．３倍になった。
【００８０】
水素化ホウ素ナトリウム（ＮａＢＨ4）０．００１３ｇにラウリン酸を添加し、アスコルビン酸は添加しない場合の溶存水素量を測定（ＮＡＤ試験）した結果、１．３５３×１０23/ｇ（１７９０ｐｐｍ）であった。
【００８１】
水素化ホウ素ナトリウム（ＮａＢＨ4）０．００１１ｇにラウリン酸とアスコルビン酸を添加した場合の溶存水素量を測定（ＮＡＤ試験）した結果、１．６５０×１０23/ｇ（２１８０ｐｐｍ）であった。アスコルビン酸を添加することで、水素の発生量が約１．２倍になった。
【００８２】
上記の理由は、水素化ホウ素ナトリウムに有機酸を加えることにより水素化ホウ素ナトリウムに含まれる水素が効率よく離れて脂肪酸と水素が反応し、より水素量が増加する。
【００８３】
尚、ｐＨが低すぎると、極端に水素ガスが発生して脂肪酸と反応しなくなることを本発明者らは知見した。したがって、有機酸の添加量を加減することでｐＨを調整し、水素の発生量及び発生時間をコントロールすることができる。
【００８４】
以下の（表２）は水素化ホウ素ナトリウム（ＮａＢＨ4）に対し、有機酸（脂肪酸）としてクエン酸、アスコルビン酸、ラウリン酸、リノール酸及び/又はリノレン酸を添加し、また炭酸塩として炭酸カリウム又は炭酸カルシウムを添加し、有機化合物としてクエン酸カリウム又はアスコルビン酸ナトリウムを添加した場合の、発生した水素の個数と溶存水素量を比較した表である。
【００８５】
ここで、本発明における有機化合物は、官能基として、Ｒ-ＣＯＯＭ、Ｒ-ＳＯ３Ｍ、Ｒ-ＯＭ、Ｒ-ＳＭで表されるものを有するものが考えられる。（但し、Ｒは炭化水素基、ＭはＨ以外のＮａ、Ｋ等の金属または金属塩）
この（表２）から水素化ホウ素ナトリウムを水に接触させる場合に比較して、有機酸（脂肪酸）、炭酸塩および有機化合物を添加することで、水素の発生量が大幅に増加することが分かる。
【００８６】
【表２】
2017165636.tif 000004
【００８７】
以上詳細に説明したように、本実施例の水素イオン発生飲料は、飲用前に還元剤３を液体飲料２に投入することにより、飲用後の人間の体内において水素イオンの発生が継続する。実施例１と同様に、長時間にわたって抗酸化力を保つことができるものである。
【産業上の利用可能性】
【００８８】
水素を効率的に、かつ長時間にわたって発生させる水素発生組成物及び水素発生飲料であり、多くの個人による利用が考えられる。
【符号の説明】
【００８９】
１…酸化剤、２…液体飲料、３…還元剤、４…ボトル、５…キャップ。
【図１】
2017165636.tif 000005
【図２】
2017165636.tif 000006
【図３】
2017165636.tif 000007
【図４】
2017165636.tif 000008
【図５】
2017165636.tif 000009
【図６】
2017165636.tif 000010
【図７】
2017165636.tif 000011